(57)【要約】【課題】  本発明は、ボタン電池と圧接する金属端子の構造を有するボタン電池搭載装置に関し、強い衝撃が加わった場合でも、ボタン電池からの給電の瞬断が発生しにくい構造を有するボタン電池搭載装置を提供する。【解決手段】  ボタン電池４１の底部と接する第１の金属端子と、ボタン電池４１の側面部と接する第２の金属端子３１と、前記第２の金属端子と異なる位置で前記ボタン電池の側面部と接する第３の金属端子３２を有し、第２の金属端子３１および第３の金属端子３２はボタン電池４１に圧接する構造となっており、かつボタン電池４１を挟んでお互いに対向する部位でボタン電池４１と圧接し、衝撃による振動に対して第２の金属端子３１と第３の金属端子３２の少なくとも一方はボタン電池４１に圧接した状態を維持する。【選択図】  図２
2011034926.tif 000002
【特許請求の範囲】
【請求項１】
ボタン電池を搭載する装置において、
ボタン電池と接触する金属端子構造の前記ボタン電池の底部と接する第１の金属端子と、前記ボタン電池の側面部と接する第２の金属端子と、前記第２の金属端子と異なる位置で前記ボタン電池の側面部と接する第３の金属端子とを有し、
前記第２の金属端子および第３の金属端子は前記ボタン電池に圧接する構造となっており、かつ前記ボタン電池を挟んでお互いに対向する部位で前記ボタン電池と圧接することを特徴とする瞬断を回避する金属端子構造を有するボタン電池搭載装置。
【発明の詳細な説明】
【技術分野】
【０００１】
本発明は、ボタン電池と接触する金属端子構造を有するボタン電池搭載装置に関するものである。
【背景技術】
【０００２】
従来、ボタン電池を搭載する装置は、装置内にプラス及びマイナスの金属端子1組でボタン電池に圧接するのが一般的であり、その場合、ボタン電池の側面側（プラス極）は１方向から圧接する（例えば特許文献１）。また、電池や装置の製造上生じる外形寸法のバラツキを吸収するためにボタン電池の収容部にクリアランスを設けていることが一般的である。
【先行技術文献】
【特許文献】
【０００３】
【特許文献１】特開２００９−２１９３６号公報
【発明の概要】
【発明が解決しようとする課題】
【０００４】
しかしながら、前記構造では落下などの衝撃で装置に強い振動が加わった場合、クリアランス内でのボタン電池の振動と筐体全体の振動に同期する金属端子の振動の位相と振幅が異なり、ボタン電池と金属端子が一時的に離れて装置への給電状態が停止し（瞬断）、装置の異常動作や記憶しているデータの消失等の不具合が発生する可能性があった。
そこで、本発明の課題は、装置に衝撃が加わった場合でも、瞬断が発生しにくい端子構造を有するボタン電池搭載装置を提供することにある。
【課題を解決するための手段】
【０００５】
上記の課題を解決するために、本発明は、ボタン電池を搭載する装置において、ボタン電池と接触する金属端子構造の前記ボタン電池の底部と接する第１の金属端子と、前記ボタン電池の側面部と接する第２の金属端子と、前記第２の金属端子と異なる位置で前記ボタン電池の側面部と接する第３の金属端子を有し、前記第２の金属端子および第３の金属端子は前記ボタン電池に圧接する構造となっており、かつ前記ボタン電池を挟んでお互いに対向する部位で前記ボタン電池と圧接することを特徴とする。
【発明の効果】
【０００６】
本発明によれば、装置に衝撃が加わった場合でも瞬断が発生しにくいボタン電池搭載装置を提供できる。これにより、瞬断に伴う装置の異常動作や記憶しているデータの消失等を防止できる効果がある。
【図面の簡単な説明】
【０００７】
【図１】本発明による一実施例の全体構成を示す断面図
【図２】本発明による一実施例の全体構成を示す正面図
【図３】従来構造の一実施例を示す断面図
【図４】従来構造の一実施例で電池に衝撃が加わった状態を示す断面図
【図５】従来構造の一実施例で電池に図４と逆方向の衝撃が加わった状態を示す断面図
【図６】電池の側面図
【図７】本発明による一実施例でフタと電池を除いた状態を示す断面図
【図８】本発明による一実施例で装置に衝撃が加わり電池が動いた状態を示す断面図
【発明を実施するための形態】
【０００８】
以下、図面を参照して本発明の実施の形態について詳細を説明する。
図１は本発明による一実施例の全体構成を示す断面図である。１１は装置上ケース、１２は装置下ケース、２１は装置の電池を挿抜する時に開閉できるフタ、２２はフタ２１に固着した突起である。３０はボタン電池４１の底部（マイナス極）と接する第１の金属端子、３１，３２はボタン電池４１の側面部（プラス極）と接する第２，第３の金属端子（以下端子と略すこともある）である。ボタン電池（以下電池と略すこともある）４１はフタ２１を閉めることで突起２２に押されて底部の電極とマイナス端子３０が触れて導通する。またボタン電池４１は端子３１，３２に挟まれる位置で搭載され、電池４１の側面の電極とプラス端子３１，３２が触れて導通する。端子３０，３１，３２は基板５１に半田付けなどで導通している。
【０００９】
図２は図１の正面図で、ボタン電池４１と金属端子３１，３２の位置関係は本図に示すとおり、ボタン電池４１を挟んで対向している。
【００１０】
以下、従来の端子と対比して、本発明の作用と効果を説明する。
図３は従来の端子構成例の断面図である。１１１は装置上ケース、１１２は装置下ケース、１１３は装置下ケース１１２の内部構造でボタン電池１４１が収納できるように形成された壁である。１２１は装置のボタン電池1４１を挿抜する時に開閉できるフタであり、１２２はフタ１２１に固着した突起である。１３０は金属製端子である。電池１４１はフタ１２１を閉めることで突起１２２に押されて底部の電極とマイナス端子１３０が触れて導通する。１３１は金属製端子でボタン電池１４１を搭載したときに側面の電極に触れて導通する。端子１３０，１３１は基板１５１に半田付けなどで導通している。
端子１３０について、フタ１２１が装置下ケース１１２に対して例えば螺入する等で強固に固定しているので突起１２２がボタン電池１４１を強く押し、電池１４１と端子１３０を強く圧接することで装置に衝撃が加わっても瞬断が発生しにくい構造となっている。
しかし端子１３１は、電池１４１と強く圧接する構造にすると電池１４１を挿入できなくなる為、柔軟性を有する形状となる。
【００１１】
図４は、図３の装置に対して振動等で上方向に荷重が加わる衝撃が加わり、端子１３１が柔軟であるがゆえにその衝撃でボタン電池１４１が上方向に動き金属端子１３１を押している状態を示す。ボタン電池１４１がボタン収容部とのクリアランス分動いたことで壁１１３とボタン電池１４１の間に隙間が生じる。図中の寸法Ｄはこの隙間を示すものである。
【００１２】
図５は、図４の状態から逆位相の振動が加わり、その衝撃でボタン電池１４１がボタン電池収容部とのクリアランス分下方向に動き金属端子１３１との圧接が離れた状態を示す。図中の寸法Ｅは、ボタン電池１４１と金属端子１３１の間に生じた隙間を示す。このように、地震や装置の輸送等で上下方向に連続的な衝撃が加わると、ボタン電池１４１と金属端子１３１においては振動の位相と振幅が異なるために、ボタン電池１４１と金属端子１３１との圧接が離れる状態になる可能性が有り、従来の構造では瞬断が回避できない構造となっていた。
【００１３】
以上説明した従来の構造に対し、本発明では、第２、第３の端子でボタン電池４１の側面を圧接するので、瞬断が発生しにくい構造となっている。
図６はボタン電池４１を示し、寸法Ａはボタン電池の幅方向の径を示す。
また図７はフタ２１及びボタン電池４１を取り除いた状態の装置を示し、寸法Ｂはこの図で示すようにボタン電池４１が搭載されていない状態における金属端子３１，３２の間隔を示す寸法である。
ここで、寸法をＡ＞Ｂとすることでボタン電池４１を装置に搭載した時に２つの金属端子３１，３２の間隔がＡ寸法からＢ寸法に広がり、その為に金属端子に反力が生じることでボタン電池を押さえつけ圧接した状態になる。
【００１４】
図８は装置に対して衝撃による振動が加わり、金属端子３１に向かう方向の荷重がボタン電池４１に加わったことでボタン電池４１の位置が動いた状態を示す。この時ボタン電池４１は金属端子３１に圧接しており、逆位相の衝撃が加わる時にはボタン電池４１は端子３２に接圧することから、ボタン電池４１からの給電が瞬間的にも停止（瞬断）することが発生しにくい構造となっている。
従って、衝撃による振動に対して第２の金属端子３１と第３の金属端子３２の少なくとも一方はボタン電池４１に圧接した状態を維持する。
【００１５】
以上説明した通り、本発明によれば、瞬断が発生しにくいボタン電池搭載装置を提供できる。例えば、ボタン電池搭載装置が、首からぶら下げるペンダント型の緊急通報装置であった場合、このペンダント型緊急通報装置を落とした、または、首からぶら下げられた状態のまま周辺の壁にぶつかった等の強い衝撃を受けた場合でも、内部回路の給電が瞬断する可能性が低く、給電の瞬断に伴う誤動作や設定データの消失等を免れる可能性が高い。
【符号の説明】
【００１６】
１１      装置上ケース
１２      装置下ケース
２１      フタ
２２      フタ２１に固着した突起
３０      本発明における第１の金属端子
３１      本発明における第２の金属端子
３２      本発明における第３の金属端子
４１      ボタン電池
５１      基板
１１１    装置上ケース
１１２    装置下ケース
１２１    フタ
１２１    フタ１２１に固着した突起
１３０    従来の構造における金属端子
１３１    従来の構造における金属端子
１４１    ボタン電池
１５１    基板
【図１】
2011034926.tif 000003
【図２】
2011034926.tif 000004
【図３】
2011034926.tif 000005
【図４】
2011034926.tif 000006
【図５】
2011034926.tif 000007
【図６】
2011034926.tif 000008
【図７】
2011034926.tif 000009
【図８】
2011034926.tif 000010